(57)【特許請求の範囲】
【請求項１】
内容物を収納する容器収納部と外周面に雄ねじを形成した容器口部とからなる容器本体、及びこの容器口部に螺合する雌ねじを蓋側周部の内周面に形成した蓋からなり、
前記雄ねじより前記容器収納部側の前記容器口部の外周面に、環状の鍔部が形成され、
前記雄ねじの終端部と前記鍔部との間に容器側突起部が設けられ、
前記蓋側周部の内周面に、前記容器側突起部と係合する蓋側突起部が設けられ、
前記蓋側周部の下端縁が含まれず、かつ、前記蓋側突起部が含まれる前記蓋側周部の部分が切り離し部として切り離し可能に設けられ、
前記鍔部の外周径は、前記蓋の内周径より小さく、かつ、前記蓋側突起部の突端の内周径より大きく、
前記蓋側周部の周方向に配される前記切り離し部の一方の端部に、この切り離し部を切り離すための把持部が連結され、
前記切り離し部の両端部の間の側縁部と対向する前記蓋側周部の縁部に、前記把持部を着脱自在に保持する保持部が、互いに切り離し部を介して対向するように少なくとも一対設けられ、
前記一対の保持部の向かい合う面の対向する位置に、一対の突起状物が設けられ、
前記把持部を前記切り離し部の外周面の少なくとも一部を覆うように屈曲させると共に、前記把持部を屈曲させた状態を前記一対の保持部及び前記一対の突起状物により保持され、
前記把持部のうち、前記保持部により保持される部分より先端側の部分の一部が、前記切り離し部以外の蓋側周部の外周面の一部と重なり、
前記の容器側突起部と蓋側突起部とは、いずれも、一方に傾斜面を有すると共に、他方の頂部は平面部を有し、前記蓋を前記容器本体の容器口部に閉めようとする際に、前記蓋側突起部と容器側突起部とは、両者の傾斜面同士が向かい合うように配されており、かつ、前記蓋を前記容器本体の容器口部に螺合した後の螺合解除方向には、両者の楔状の頂部の平面部が相対、係合して螺合解除が困難となっており、
前記切り離し部の切り離しにより、前記蓋側突起部は、前記容器側突起部との係合が解除され、螺合解除方向に蓋を開くことを可能とする封緘機能付き容器。
【請求項２】
前記保持部から前記切り離し部の他方の端部側に配される前記把持部は、プルリング状の取っ手を有する請求項１に記載の封緘機能付き容器。
【請求項３】
前記蓋側周部と前記切り離し部とは、複数の箇所で連結された請求項１又は２に記載の封緘機能付き容器。
【発明の詳細な説明】
【技術分野】
【０００１】
この発明は、開封したか否かを判るようにした封緘機能付き容器に関する。
【背景技術】
【０００２】
容器に飲料や食品を充填して出荷された商品は、消費者の手に届くまでは基本的には開封されず、製造したときの品質をそのまま維持し、異物の混入を防止して消費者の食の安全を保つ必要がある。
【０００３】
このため、容器に飲料や食品を充填した商品には、容器本体と蓋体との部分に熱収縮フイルムを適用して密封し、開封するには熱収縮フィルムを除去しなければ開封することができず、一旦開封すると上記熱収縮フィルムが取り除かれるので開封したことが直ちに判明できるようになっている。
【０００４】
しかし、熱収縮フィルムを収縮させるためには一定の加熱が必要なため、充填される飲料・食品が熱により変質するようなものには適用することが困難である。
【０００５】
これに対し、熱収縮フィルムを用いない例として、図７に示すような、所謂ＰＥＴボトルのような容器において、キャップ２１の下端周縁に環状切り欠き部２２を形成して裾部２３と切り離せるようにし、キャップ２１をボトル本体２０の口部２４に螺合し、螺合したときにキャップ２１の裾２３の内周に形成したリブ２５が、ボトル本体２０の口部２４に形成した環状段部２６に引っ掛かるような構成としたものがある。
【０００６】
しかし、ＰＥＴボトルのように口径の小さい容器には適するが、口径の大きい容器では、切り離されて開封後は不要となるキャップ裾部の樹脂量が多くなり、効率的でない。また、キャップの径が大きくなるに従い、環状切り欠き部でもってキャップ本体と裾部とを切り離すのに大きな偶力が必要となる傾向がある。
【０００７】
これに対し、特許文献１や２には、キャップの一部に切り離し可能の切除部を設け、この切除部の切り離しにより、蓋の開封が可能となると共に、蓋が開封されたことを明示する容器が記載されている。
【先行技術文献】
【特許文献】
【０００８】
【特許文献１】特開２００３−０５４６１８号公報
【特許文献２】特開２００１−３４１７６１号公報
【発明の概要】
【発明が解決しようとする課題】
【０００９】
しかし、特許文献１の図４に示されているように、容器のねじ部の下方には、鍔等がなく、ねじの隙間を通して、ほこり等の異物の混入が生じるおそれがある。
さらに、特許文献１のプルリングは、内部に孔を設け、そこに突起部が嵌る構造を有する。しかし、その箇所が１箇所であるため、場合によっては、その嵌め合いから外すのに大きな力が必要となる場合や、逆に、嵌め合いが弱い場合、輸送中等において、勝手に嵌め合いが外れ、場合によっては、切除部が切り離されてしまうおそれがある。
【００１０】
また、特許文献２においては、プルリングを用いておらず、嵌め合いの外れという問題は生じ難いが、切除部が蓋の側周部の下端に設けられているため、切除部の下端面は蓋の側周部との連結がなく、切除部と蓋との連結部が減り、両者の連結が弱くなるおそれがある。さらに、把持部が蓋の側周部から突出して設けられている。これらのため、輸送中の振動等によって把持部に力が加わると、切除部が容易に切り離されて脱落してしまうおそれがある。
【００１１】
そこで、この発明は、異物の混入の可能性を抑止すると共に、開封の有無を明示する部材が輸送中等に脱落するのを防止することを課題とする。
【課題を解決するための手段】
【００１２】
上記課題を解決するためにこの発明は、内容物を収納する容器収納部と外周面に雄ねじを形成した容器口部とからなる容器本体、及びこの容器口部に螺合する雌ねじを側周部の内周面に形成した蓋からなり、前記雄ねじより前記容器収納部側の前記容器口部の外周面に、環状の鍔部を形成し、前記雄ねじの終端部と前記鍔部との間に容器側突起部を設け、前記蓋側周部の内周面に、前記容器側突起部と係合する蓋側突起部を設け、前記蓋側周部の下端縁を含まず、かつ、前記蓋側突起部を含む前記蓋側周部の部分を切り離し部として切り離し可能に設け、前記鍔部の外周径は、前記蓋の内周径より小さく、かつ、前記蓋側突起部の突端の内周径より大きく、前記蓋側周部の周方向に配される前記切り離し部の一方の端部に、この切り離し部を切り離すための把持部を連結し、前記切り離し部の両端部の間の側縁部と対向する前記蓋側周部の縁部に、前記把持部を着脱自在に保持する保持部が、互いに切り離し部を介して対向するように少なくとも一対設けられ、前記把持部を前記切り離し部の外周面の少なくとも一部を覆うように屈曲させると共に、前記把持部を屈曲させた状態を前記保持部により保持し、前記把持部のうち、前記保持部により保持される部分より先端側の部分の一部が、前記切り離し部以外の蓋側周部の外周面の一部と重なり、前記蓋側突起部は、前記容器側突起部に対して、螺合方向に乗り越えることができ、一方、螺合後、螺合解除方向には、係合して螺合解除が困難であり、前記切り離し部を切り離すことによって、前記蓋側突起部は、前記容器側突起部との係合が解除されて、螺合解除方向に蓋を開くことができる構成としたものである。
【発明の効果】
【００１３】
上記の封緘機能付き容器にかかる発明は、特定の大きさを有する環状の鍔部を設けるので、容器のねじ部からの異物の混入を抑制することができる。
また、切り離し部を、蓋側周部の下端縁を含まない位置に設けるので、切り離し部の全周が蓋の側周部と対向することとなり、切り離し部と蓋との連結を十分にかつ均一にとることができ、予定外の外力によって一部の連結部に過剰な力が加わり、予定外に切り離し部が切り離されるのを防止することができる。
さらに、切り離し部の把持部を、屈曲させた状態で、少なくとも一対の保持部で保持するので、把持部が出っ張るのを防止でき、かつ、把持部の保持部から外れるトラブルを低減することができるので、予定外の外力が把持部にかかり、その外力によって切り離し部が予定外に切り離されるのを防止できる。
さらにまた、把持部は、切り離し部の一部を覆うように屈曲して保持されると共に、把持部の先端側の一部が切り離し部以外の蓋側周部の外周面の一部に重なるので、把持部に予定外の外力がかかっても、全てのその外力が切り離し部にかかるのを防止でき、切り離し部が予定外に切り離されるのを抑制することができる。
【図面の簡単な説明】
【００１４】
【図１】この発明に係る封緘機能付き容器の斜視図
【図２】図１の蓋を外した状態を示す斜視図
【図３】（ａ）図２の蓋の切り離し部の拡大正面図、（ｂ）（ａ）のｂ−ｂ断面図、（ｃ）（ａ）のｃ−ｃ断面図
【図４】図２の容器本体の容器口部の雄ねじの終端部の拡大正面図、（ｂ）（ａ）のｂ−ｂ断面図
【図５】図１の蓋をした状態の封緘機能付き容器における蓋の切り離し部の拡大正面図、（ｂ）（ａ）のｂ−ｂ断面図、（ｃ）（ａ）のｃ−ｃ断面図
【図６】（ａ）〜（ｄ）蓋の切り離し部を切り離す状態を示す部分斜視図
【図７】従来の容器のキャップ部切り欠き正面図
【発明を実施するための形態】
【００１５】
この発明の実施形態を図面を参照しながら説明する。
（封緘機能付き容器）
この発明にかかる封緘機能付き容器１１は、図１及び図２に示すように、内容物を収納する容器収納部１２ａと外周面に雄ねじ１２ｃを形成した容器口部１２ｂとからなる容器本体１２、及びこの容器口部１２ｂの雄ねじ１２ｃに螺合する雌ねじ（図３の１３ｂ）を蓋側周部１３ａの内周面に形成した蓋１３からなる容器である。
【００１６】
（鍔部）
雄ねじ１２ｃより容器収納部１２ａ側の容器口部１２ｂの外周面には、図２に示すように、環状の鍔部１２ｄが形成される。蓋側周部１３ａと容器口部１２ｂとの間は、雄ねじ１２ｃと雌ねじ１３ｂによって螺合するが、ほこり等の異物が両ねじに沿って容器内部に侵入することを必ずしも防がない。この鍔部１２ｄを設けることにより、この異物が蓋側周部１３ａと容器口部１２ｂとの間から侵入するのを防止できる。
【００１７】
（容器側突起部、蓋側突起部）
また、前記の雄ねじ１２ｃの終端部と鍔部１２ｄとの間には、図２や図４（ａ）（ｂ）に示すように、容器側突起部１２ｅが設けられる。特に、この容器側突起部１２ｅを、雄ねじ１２ｃの終端部や鍔部１２ｄと連続した状態に設けると、この発明の効果をより発揮することができる。
そして、図３（ｂ）に示すように、蓋側周部１３ａの内周面に、前記容器側突起部１２ｅと係合する蓋側突起部１３ｃが設けられる。
【００１８】
この容器側突起部１２ｅと蓋側突起部１３ｃとは、図２〜図４に示すように、いずれも、一方に傾斜面を有する楔状の突起を形成する。そして、蓋１３を容器本体１２の容器口部１２ｂに閉めようとする際、蓋側突起部１３ｃが、容器側突起部１２ｅに対して、螺合方向に乗り越えることができるように、両者の傾斜面同士が向かい合うように配される。
そして、蓋１３を容器本体１２の容器口部１２ｂに螺合した後、螺合解除方向には、両者の楔状の頂部の平面部が相対するので、係合して螺合解除が困難となる。
【００１９】
（切り離し部）
ところで、前記の蓋側周部１３ａには、この蓋側周部１３ａの下端縁を含まない位置に、前記蓋側突起部１３ｃを含む蓋側周部１３ａの部分（切り離し部１３ｄ）が、切り離し可能に設けられる。
【００２０】
この切り離し部１３ｄは、蓋側周部１３ａの下端縁を含まない位置に設けられるので、この切り離し部１３ｄは、蓋側周部１３ａにその周囲を囲まれることとなる。
この切り離し部１３ｄと対向する蓋側周部１３ａの縁部（以下、単に「蓋側周部１３ａの縁部」と称する。）と、切り離し部１３ｄとの間は、複数箇所で連結部材１３ｈによって、連結される。図３（ａ）において、切り離し部１３ｄと蓋側周部１３ａの縁部とは、５箇所で連結されているが、この連結は、切り離しに必要な力が適切な範囲であれば、点連結であっても、幅を有する連結材による連結でもよい。また、連結の個数は、切り離しにかかる力が適切な範囲となるように、適宜選択される。
【００２１】
この切り離し部１３ｄを切り離すことにより、前記蓋側突起部１３ｃは、容器側突起部１２ｅとの係合を解除することができる。これにより、螺合解除方向に蓋１３を開くことが可能となる。
【００２２】
ところで、蓋側周部１３ａの下端縁の部分には、この切り離し部１３ｄは設けられない。これは、蓋側周部１３ａの下端縁の部分にこの切り離し部１３ｄを設けると、蓋側周部１３ａの下端縁の延長部分に位置する切り離し部１３ｄの縁部は、蓋側周部１３ａとの連結は形成されないこととなる。この場合、この切り離し部１３ｄに予定外の外力が加わった場合、連結部のない切り離し部１３ｄの縁部に近い連結部により大きな外力がかかることとなり、予定外に切り離し部１３ｄが切り離されてしまうおそれがあるからである。
【００２３】
（鍔部の径）
前記の容器本体１２の鍔部１２ｄの外周径は、蓋１３（蓋側周部１３ａ）の内周径より小さく、かつ、蓋側突起部１３ｃの突端の内周径より大きい径を有する。鍔部１２ｄの外周径が、蓋１３（蓋側周部１３ａ）の内周径より大きいと、蓋１３が鍔部１２ｄに当たり、それ以上は閉まらなくなる。この場合、切り離し部１３ｄが蓋側周部１３ａの下端縁を含まない位置にあるため、切り離し部１３ｄの内側に配される蓋側突起部１３ｃが容器側突起部１２ｅの位置まで螺合することが困難となり、きちんと蓋をすることが困難となる。
一方、鍔部１２ｄの外周径が、蓋側突起部１３ｃの突端の内周径より小さいと、蓋を閉める際に、蓋側突起部１３ｃが鍔部１２ｄを乗り越えることが可能となり、切り離し部１３ｄの切り離しを行うことなしに、蓋を開けることが可能となるおそれがある。
【００２４】
（把持部）
前記切り離し部１３ｄには、図３に示すように、この切り離し部１３ｄを蓋側周部１３ａから切り離すための把持部１３ｅが連結される。具体的には、この把持部１３ｅは、切り離し部１３ｄのうち、前記蓋側周部１３ａの周方向に配される切り離し部１３ｄの両方の端部うち、一方の端部に連結される。前記蓋側周部１３ａの周方向に配される切り離し部１３ｄの両方の端部の一方に、前記把持部１３ｅを配することにより、切り離し部１３ｄに連結される把持部１３ｅの根部から先端部の方向を、蓋側周部１３ａの周方向とすることが可能となり、蓋の高さを抑制することが可能となる。
【００２５】
（保持部）
前記切り離し部１３ｄと対向する、周囲の蓋側周部１３ａの縁部、具体的には、前記切り離し部１３ｄの両端部の間の側縁部と対向する蓋側周部の縁部に、図３に示すように、把持部１３ｅを着脱自在に保持する保持部１３ｆを、互いに切り離し部１３ｄを介して、対向するように少なくとも一対設ける。そして、この保持部１３ｆには、突起状物１３ｇが形成される。
保持部１３ｆが少なくとも一対設けられるので、把持部１３ｅは、少なくとも２つの保持部１３ｆの少なくとも２つの突起状物１３ｇに保持される。このため、突起状物１３ｇの大きさ、把持部１３ｅの数を調整することにより、把持部１３ｅの保持部１３ｆからの脱着にかかる力の程度を調整することができる。このため、把持部１３ｅを保持部１３ｆから意図的に外すことを容易にすると共に、輸送中等において、予想外の外力がかかっても、把持部１３ｅが保持部１３ｆから予想外に外れることを防止できる。
【００２６】
（把持部の形状）
この把持部１３ｅのうち、前記保持部１３ｆにより保持される部分より先端側の部分の一部は、切り離し部１３ｄ以外の蓋側周部１３ａの外周面の一部と重なる。このため、輸送中等において、予想外の外力がかかった場合、その外力の一部は、蓋側周部１３ａの外周面で受けることとなり、把持部１３ｅが保持部１３ｆから予想外に外れることを防止できる。
【００２７】
この把持部１３ｅのうち、前記保持部１３ｆにより保持される部分より先端側の部分の一部の形状は、把持部１３ｅを前記保持部１３ｆから外し、かつ、切り離し部１３ｄを蓋側周部１３ａから切り離す作業を行うのに好ましい形状であれば、特に限定されない。そのような例としては、図３に示すような、プルリング状の取っ手があげられる。
【００２８】
（封緘方法と開封方法）
次に、この発明に係る封緘機能付き容器１１を用いた封緘方法について、図１〜図５を用いて説明する。
まず、図２に示すように、蓋１３の開いた状態で、容器本体１２の容器収納部１２ａに内容物を入れ、図１に示すように蓋１３を雄ねじ１２ｃと雌ねじ１３ｂに沿って螺合して閉じる。蓋１３を閉じる際、容器側突起部１２ｅの傾斜部と蓋側突起部１３ｃの傾斜部とが互いに乗り上げ、互いに乗り越える。そして、蓋１３を閉じた後は、図５（ｂ）に示すように、容器側突起部１２ｅと蓋側突起部１３ｃとが、互いの頂部の平面部同士が突き合って係合するため、蓋１３を螺合方向に開ける事は困難となる。
なお、このとき、図５（ｃ）に示すように、蓋側周部１３ａの下端縁は、鍔部１２ｄより下方に位置する。
【００２９】
そして、図５（ａ）に示すように、把持部１３ｅを切り離し部１３ｄの外周面の少なくとも一部を覆うように屈曲させ、そして、把持部１３ｅを屈曲させた状態を、一対の保持部１３ｆの突起状物１３ｇに引っかけて保持する。これにより、容器を封緘することができる。
【００３０】
次に、容器の開封方法について、図６を用いて説明する。
図６（ａ）に示す、封緘した蓋１３の把持部１３ｅを立ち上げ、保持部１３ｆの保持を開放する（図６（ｂ））。次いで、把持部１３ｅを手前に引くことにより、連結部材１３ｈを切り、切り離し部１３ｄを蓋側周部１３ａから切り離す（図６（ｃ））。切り離し部１３ｄを完全に切り離すことにより、容器側突起部１２ｅは、蓋側突起部１３ｃより開放され、螺合解除方向に蓋を開くことができる。
【００３１】
切り離し部１３ｄを切り離すことにより、図６（ｄ）に示すように、蓋１３から切り離し部１３ｄのあった部分は空白となり、容器が開封されたことが明示される。
【符号の説明】
【００３２】
１１  封緘機能付き容器
１２  容器本体
１２ａ  容器収納部
１２ｂ  容器口部
１２ｃ  雄ねじ
１２ｄ  鍔部
１２ｅ  容器側突起部
１３  蓋
１３ａ  蓋側周部
１３ｂ  雌ねじ
１３ｃ  蓋側突起部
１３ｄ  切り離し部
１３ｅ  把持部
１３ｆ  保持部
１３ｇ  突起状物
１３ｈ  連結部材
２０  ボトル本体
２１  キャップ
２２  環状切り欠き部
２３  裾部
２４  口部
２５  リブ
２６  環状段部
【図１】
0006028058.tif 000002
【図２】
0006028058.tif 000003
【図３】
0006028058.tif 000004
【図４】
0006028058.tif 000005
【図５】
0006028058.tif 000006
【図６】
0006028058.tif 000007
【図７】
0006028058.tif 000008